(57)【特許請求の範囲】
【請求項１】
下面に下面開口部が設けられているとともに、上記下面以外の部分が密閉構造となっているケースと、
エレベータを制御する制御機器を含み、上記ケース内に収容されている制御盤本体と
を備えていることを特徴とするエレベータ制御盤。
【請求項２】
上記制御盤本体は、上記ケース内に収容された位置である通常位置と、上記下面開口部から上記ケースの下方へ引き出された位置である作業位置との間で変位可能である請求項１記載のエレベータ制御盤。
【請求項３】
上記ケースは、前面に前面開口部が設けられているケース本体と、上記前面開口部を開閉する前面カバーと、上記ケース本体と上記前面カバーとの間に設けられているシーリング材とを有していることを特徴とする請求項１記載のエレベータ制御盤。
【発明の詳細な説明】
【技術分野】
【０００１】
この発明は、エレベータを制御する制御機器を含む制御盤本体がケース内に収容されているエレベータ制御盤に関するものである。
【背景技術】
【０００２】
従来のエレベータ制御盤では、前面カバーが上下方向に複数に分割されており、各前面カバーの下端部がその下側に隣接する前面カバーの上端部に重ねられている（例えば、特許文献１参照）。
【０００３】
【特許文献１】特開２００２−３３８１５２号公報
【発明の開示】
【発明が解決しようとする課題】
【０００４】
上記のような従来のエレベータ制御盤では、上方からの水の浸入を防ぐことはできるものの、その他の方向からの水の浸入を防ぐことができない。特に、エレベータ制御盤が昇降路の最下階付近に設置される機械室レスエレベータでは、大雨等により最下階から昇降路内に水が侵入した場合に、エレベータ制御盤が水没し、制御機器が漏電したり短絡したりする恐れがある。また、ケーブル引込口の構造が複雑であり、コストが高くなる。
【０００５】
この発明は、上記のような課題を解決するためになされたものであり、簡単な構造でケース内への水の浸入を防止することができるエレベータ制御盤を得ることを目的とする。
【課題を解決するための手段】
【０００６】
この発明に係るエレベータ制御盤は、下面に下面開口部が設けられているとともに、下面以外の部分が密閉構造となっているケースと、エレベータを制御する制御機器を含み、ケース内に収容されている制御盤本体とを備えている。
【発明の効果】
【０００７】
この発明のエレベータ制御盤は、ケースの下面以外が密閉構造となっているため、ケース内の空気圧と下から上がってくる水の水圧とが釣り合い、ケース内への水の浸入を防止することができる。また、ケースには下面開口部が設けられているので、ケーブルの引き込みは下面開口部から行うことができ、構造が簡単である。
【発明を実施するための最良の形態】
【０００８】
以下、この発明を実施するための最良の形態について、図面を参照して説明する。
実施の形態１．
図１はこの発明の実施の形態１によるエレベータの要部を示す斜視図である。図において、エレベータ制御盤１は、昇降路２内の最下階乗場３と同じ高さの位置に配置されている。
【０００９】
図２は図１のエレベータ制御盤１を示す正面図、図３は図２のエレベータ制御盤１を示す側面図である。上下方向に平行な一対の取付部材４ａ，４ｂは、昇降路２内に固定された取付腕（図示せず）又は昇降路壁に固定されている。取付部材４ａ，４ｂには、直方体状のケース（筐体）５が固定されている。ケース５の下面には、下面開口部５ａが設けられている。また、ケース５の下面以外の部分は、密閉構造となっている。
【００１０】
ケース５内には、制御盤本体６が収容されている。制御盤本体６には、エレベータを制御する複数の制御機器（図示せず）と、複数のケーブル７が接続された複数の端子台８とが含まれている。ケーブル７は、例えば電源機器や制御対象機器等の外部機器と制御盤本体６とを接続している。
【００１１】
制御盤本体６は、ケース５内に収容された位置である通常位置（図２、３）と、下面開口部５ａからケース５の下方へ引き出され露出された位置である作業位置（図４、５）との間で変位可能である。
【００１２】
ケース５の下部には、ケース５の幅方向に互いに間隔をおいて一対の下部固定ねじ（固定部）９ａ，９ｂが固定されている。ケース５内の上部には、ケース５の幅方向に互いに間隔をおいて一対の上部固定ねじ９ｃ，９ｄ（固定部）が固定されている。
【００１３】
制御盤本体６の下端部には、制御盤本体６の幅方向に互いに間隔をおいて一対の下部係合孔（係合部）６ａ，６ｂが設けられている。制御盤本体６の上端部には、制御盤本体６の幅方向に互いに間隔をおいて一対の上部係合孔（係合部）６ｃ，６ｄが設けられている。この例では、係合孔６ａ〜６ｄはだるま孔である。
【００１４】
制御盤本体６が通常位置に位置するときには、下部係合孔６ａ，６ｂに下部固定ねじ９ａ，９ｂが係合され、上部係合孔６ｃ，６ｄに上部固定ねじ９ｃ，９ｄが係合される。また、制御盤本体６が作業位置に位置するときには、上部係合孔６ｃ，６ｄに下部固定ねじ９ａ，９ｂが係合される。
【００１５】
図６は図１のエレベータ制御盤１が冠水した状態を示す正面図である。実施の形態１のエレベータ制御盤１では、例えばＡの位置まで冠水しても、ケース５の下面以外が密閉構造となっているため、ケース５内の空気圧と下から上がってくる水の水圧とが釣り合い、ケース５内への水の浸入を防止することができる。また、ケース５内の空気は、水圧によりＢの位置まで圧縮されるが、この圧縮量Ｃは微少であり、制御盤本体６の制御機器や端子台８が濡れることはない。従って、冠水による漏電や短絡の発生を防止することができ、これによりエレベータの閉じ込め故障の発生も防止することができる。このため、エレベータ制御盤１の設置場所の制限を少なくすることもできる。
【００１６】
また、ケース５には下面開口部５ａが設けられているので、ケーブル７の引き込みは下面開口部５ａから行うことができ、構造が簡単である。
さらに、制御盤本体６は、通常位置と作業位置との間で変位可能となっているため、メンテナンス作業やケーブル７の接続作業の作業性を向上させることができる。
【００１７】
なお、制御盤本体６を通常位置と作業位置とに保持するための固定部は、固定ねじ９ａ〜９ｄに限定されるものではなく、例えばフック等であってもよい。また、固定部を制御盤本体６に設け、固定部が係合する係合部をケース５側に設けてもよい。
また、上記の例では、制御盤本体６を通常位置及び作業位置の２箇所のみで保持するようにしたが、３箇所以上で保持できるようにしてもよく、さらには制御盤本体６のケース５からの引出量を連続的に調整可能とするスライド案内機構をケース５と制御盤本体６との間に設けてもよい。
さらに、ケース５に対して制御盤本体６を上下動させる駆動装置を設けてもよい。
【００１８】
実施の形態２．
次に、図７はこの発明の実施の形態２によるエレベータ制御盤を示す正面図、図８は図７のエレベータ制御盤を示す側面図、図９は図７のエレベータ制御盤を示す平面図、図１０は図７の前面カバーを開放した状態を示す正面図である。
【００１９】
図において、エレベータ制御盤１は、取付部材４ａ，４ｂと、ケース１１と、ケース１１内に収容された制御盤本体６とを有している。ケース１１の下面には、下面開口部１１ａが設けられている。また、ケース１１の下面以外の部分は、密閉構造となっている。
【００２０】
また、ケース１１は、前面に前面開口部１２ａが設けられているケース本体１２と、前面開口部１２ａを開閉する前面カバー１３と、ケース本体１２と前面カバー１３とを接続する複数のヒンジ１４ａ，１４ｂと、ケース本体１２と前面カバー１３との間に設けられているシーリング材（パッキン）１５（図１０の斜線部）とを有している。他の構成は、実施の形態１と同様である。
【００２１】
実施の形態２のエレベータ制御盤１では、例えば図６のように冠水しても、ケース１１の下面以外が密閉構造となっているため、ケース１１内の空気圧と下から上がってくる水の水圧とが釣り合い、ケース１１内への水の浸入を防止することができる。従って、冠水による漏電や短絡の発生を防止することができ、これによりエレベータの閉じ込め故障の発生も防止することができる。このため、エレベータ制御盤１の設置場所の制限を少なくすることもできる。
【００２２】
また、ケース１１には下面開口部１１ａが設けられているので、ケーブル７の引き込みは下面開口部１１ａから行うことができ、構造が簡単である。
さらに、ケース本体１２に前面開口部１２ａを設け、前面開口部１２ａを前面カバー１３により開閉可能としたので、メンテナンス作業やケーブル７の接続作業の作業性を向上させることができる。
さらにまた、制御盤本体６をケース１１内に固定したままでも、メンテナンス作業やケーブル７の接続作業を行うことができるので、ケーブル７の長さに余長を持たせておく必要がない。また、ケーブル７が周囲の機器に接触して損傷したり、ケーブル７の端子台８への接続部に過大な応力が生じたりすることがない。
【００２３】
なお、上記の例では、ケース本体１２の前面のほぼ全体に前面開口部１２ａを設けたが、部分的に設けてもよい。
また、前面開口部１２ａを複数の開口部に分割してもよい。これに伴って、前面カバー１３を複数に分割してもよい。
【００２４】
さらに、上記の例ではケース本体１２と前面カバー１３とをヒンジ１４ａ，１４ｂで接続したが、前面開口部１２ａを開放する際に前面カバー１３をケース本体１２から完全に取り外す構造としてもよい。また、ケース本体１２に対して前面カバー１３を上下又は左右へスライドさせることにより前面開口部１２ａを開放する構造としてもよい。但し、いずれの構造であっても、前面開口部１２ａを閉じたときに密閉構造が確保される必要があるのは勿論である。
さらにまた、この発明のエレベータ制御盤の設置場所は、図１に示した場所に限定されるものではない。
【図面の簡単な説明】
【００２５】
【図１】この発明の実施の形態１によるエレベータの要部を示す斜視図である。
【図２】図１のエレベータ制御盤を示す正面図である。
【図３】図２のエレベータ制御盤を示す側面図である。
【図４】図１の制御盤本体を作業位置へ変位させた状態を示す正面図である。
【図５】図４のエレベータ制御盤を示す側面図である。
【図６】図１のエレベータ制御盤１が冠水した状態を示す正面図である。
【図７】この発明の実施の形態２によるエレベータ制御盤を示す正面図である。
【図８】図７のエレベータ制御盤を示す側面図である。
【図９】図７のエレベータ制御盤を示す平面図である。
【図１０】図７の前面カバーを開放した状態を示す正面図である。
【符号の説明】
【００２６】
１  エレベータ制御盤、５，１１  ケース、５ａ，１１ａ  下面開口部、６  制御盤本体、１２  ケース本体、１２ａ  前面開口部、１３  前面カバー、１５  シーリング材。
【図１】
0005241225.tif 000002
【図２】
0005241225.tif 000003
【図３】
0005241225.tif 000004
【図４】
0005241225.tif 000005
【図５】
0005241225.tif 000006
【図６】
0005241225.tif 000007
【図７】
0005241225.tif 000008
【図８】
0005241225.tif 000009
【図９】
0005241225.tif 000010
【図１０】
0005241225.tif 000011